(57)【要約】      （修正有）【課題】転動する錘球により、回転運動を得て、出力軸に回転エネルギを取り出して利用する。【解決手段】間隔をあけて対向及び水平に支持された第１、第２回転軸１，２の内部端に対向させて設けた第１、第２傘歯車５，６と噛み合わされてフリー回転する第３傘歯車７、第１、第２回転軸に対向させて設けられた第１、第２円盤８，９の内側面縁部に対向及び連続させて設けられ内側端が開口された第１、第２錘球保持部１０，１１、第１、第２円盤の前記第１、第２回転軸の略両側位置の第１、第２錘球保持部間に傾斜を反対方向にして支持された第１、第２錘球転動路１２，１３の上流端部に設けられ該上流端に位置した第１及び第２錘球保持部内の錘球１４を第１、第２錘球転動路へ転出する第１、第２ストッパー１５，１６、第１、第２円盤８，９の前記第１、第２錘球転動路以下の第１、第２錘球保持部に供給された錘球１４。【選択図】図１
2005264897.tif 000002
【特許請求の範囲】
【請求項１】
間隔をあけて対向及び水平に支持された第１及び第２回転軸、該第１及び第２回転軸の内部端に対向させて設けられた第１及び第２傘歯車、該第１及び第２傘歯車に噛み合わされてフリー回転する第３傘歯車、前記第１及び第２回転軸に対向させて設けられた第１及び第２円盤、該第１及び第２円盤の内側面縁部に対向及び連続させて設けられ内側端が開口された第１及び第２錘球保持部、前記第１及び第２円盤の前記第１及び第２回転軸の略両側位置の前記第１及び第２錘球保持部間に傾斜を反対方向にして支持された第１及び第２錘球転動路、該第１及び第２錘球転動路の上流端部に設けられ該上流端に位置した前記第１及び第２錘球保持部内の錘球を前記第１及び第２錘球転動路へ転出する第１及び第２ストッパー、前記第１及び第２円盤の前記第１及び第２錘球転動路以下の前記第１及び第２錘球保持部に供給された錘球からなることを特徴とする有限回転装置。
【請求項２】
前記錘球転動路の一方を他方に比べて前記錘球保持部の一こま分高くしたことを特徴とする請求項１に記載の有限回転装置。
【発明の詳細な説明】
【技術分野】
【０００１】
本発明は、転動する錘球により、回転運動を得て、出力軸に回転エネルギを取り出すことができる有限回転装置に関する。
【背景技術】
【０００２】
従来から、動力を発生するのに電力を利用したモータ、水力を利用した水車、油圧を利用した油圧モータなどが広く用いられている。これらはいずれも外部から電力、水力、油圧を供給することにより機械トルクを発生し、各種機器に仕事をさせるように機能する。
【発明の開示】
【発明が解決しようとする課題】
【０００３】
しかしながら、前記の電力、水力、油圧などを利用する従来の動力発生システムにあっては、動力発生のために必要とされる電力エネルギ、水力エネルギ、油圧エネルギの利用コストが高くなってしまうという問題があった。
【０００４】
本発明は、前記のような従来の問題を解決するものであり、エネルギコストの高い電力や設備、施設などを用いずに、転動する錘球により、回転運動を経て、発電機等を駆動することができる有限回転装置を得ることを目的とする。
【課題を解決するための手段】
【０００５】
前記本発明の実施の一形態は、間隔をあけて対向及び水平に支持された第１及び第２回転軸、該第１及び第２回転軸の内部端に対向させて設けられた第１及び第２傘歯車、該第１及び第２傘歯車に噛み合わされてフリー回転する第３傘歯車、前記第１及び第２回転軸に対向させて設けられた第１及び第２円盤、該第１及び第２円盤の内側面縁部に対向及び連続させて設けられ内側端が開口された第１及び第２錘球保持部、前記第１及び第２円盤の前記第１及び第２回転軸の略両側位置の前記第１及び第２錘球保持部間に傾斜を反対方向にして支持された第１及び第２錘球転動路、該第１及び第２錘球転動路の上流端部に設けられ該上流端に位置した前記第１及び第２錘球保持部内の錘球を前記第１及び第２錘球転動路へ転出する第１及び第２ストッパー、前記第１及び第２円盤の前記第１及び第２錘球転動路以下の前記第１及び第２錘球保持部に供給された錘球からなることを特徴とする。
【０００６】
また、前記本発明の他の実施の一形態は、前記錘球転動路の一方を他方に比べて前記錘球保持部の一こま分高くしたことを特徴とする。
【発明の効果】
【０００７】
本願発明によれば、転動する錘球により、回転運動を得て、出力軸に回転エネルギを取り出して利用することができる。
【発明を実施するための最良の形態】
【０００８】
以下、添付図面を参照して、本発明の実施の一形態について説明する。図１は、本発明に係る有限回転装置の一部切欠き斜視図、図２は平面図、図３は図１のＦ−Ｆ矢視図、図４は図１のＧ−Ｇ矢視図である。
【０００９】
間隔をあけて対向及び水平に第１回転軸１及び第２回転軸２が支持される。図面実施の一例では、前記第１回転軸１及び第２回転軸２が、それぞれ軸受３を有し、間隔をあけて設けられたスタンド４、４に支持されている。さらに、前記第１回転軸１及び第２回転軸２の内部端に対向させて第１傘歯車５及び第２傘歯車６が設けられる。
【００１０】
さらに、前記第１傘歯車５及び第２傘歯車６に、直交方向からフリー回転する第３傘歯車７が噛み合わされる。図面実施の一形態では、前記第３傘歯車７は、軸受３１を有するスタンド３２に支持されている。前記構成においては、前記第１回転軸１と第２回転軸２はそれぞれ逆方向に回転させられる。
【００１１】
さらに、前記第１回転軸１及び第２回転軸２に対向させて第１円盤８及び第２円盤９が設けられる。なお、前記第１円盤８及び第２円盤９は、軽量化を図るために不要部分を打ち抜き除去してもよい。
【００１２】
さらに、前記第１円盤８及び第２円盤９の内側面縁部に対向及び連続させて内部端が開口された第１錘球保持部１０及び第２錘球保持部１１が設けられる。該第１錘球保持部１０及び第２錘球保持部１１には、それぞれ後に述べる第１スリット開口１７及び第２スリット開口１８が設けられる。
【００１３】
さらに、前記第１円盤８及び第２円盤９の、前記第１回転軸１及び第２回転軸２のほぼ両側位置の前記第１錘球保持部１０及び第２錘球保持部１１間に、傾斜を反対方向にして第１錘球転動路１２及び第２錘球転動路１３が設けられる。
【００１４】
前記第１錘球転動路１２及び第２錘球転動路１３は、図６及び図８に示すように、対向する第１錘球保持部１０及び第２錘球保持部１１間に、支持枠３３及び３３によって支持され、図３及び図４に示すように、一方の錘球転動路、図示の場合、前記第１錘球転動路１２よりも、他方の錘球転動路、図示の場合、前記第２錘球転動路１３が、前記第１及び第２錘球保持部１０、１１の一こま分高く設けられる。なお、傾斜の度合いは、後に述べる錘球１４が転動する最小の傾斜とされる。
【００１５】
さらに、前記第１錘球転動路１２及び第２錘球転動路１３のそれぞれ上流端部に、図５及び図７に示すように、それぞれの上流端部に位置した前記第２錘球保持部１１及び第１錘球保持部１０内の錘球１４を前記第１錘球転動路１２及び第２錘球転動路１３へ転出させる第１ストッパー１５及び第２ストッパー１６が設けられる。
【００１６】
前記第１ストッパー１５及び第２ストッパー１６は、その先端が、前記全ての第２錘球保持部１１及び第１錘球保持部１０の適位置に予め設けられた第１スリット開口１８及び第２スリット開口１７に適合させられて、前記錘球１４が接触することにより、前記第２錘球保持部１１及び第１錘球保持部１０内の錘球１４を前記第１錘球転動路１２及び第２錘球転動路１３へ転出させるものである。
【００１７】
前記構成において、前記錘球１４は、重量を有する鋼球等からなり、該錘球１４は、前記第１円盤８及び第２円盤９間に支持された前記第１錘球転動路１２及び第２錘球転動路１３内に複数個と、該第２錘球転動路１３及び前記第１錘球転動路１２以下の前記第１錘球保持部１０及び第２錘球保持部１１内に供給される。図中、１９は前記回転軸２の外側端部に設けられた出力プーリ、２０は例えば発電機である。
【００１８】
つぎに作用を説明する。前記第１円盤８及び第２円盤９間に支持された前記第１錘球転動路１２及び第２錘球転動路１３内に複数個の錘球１４を供給し、さらに、前記第１錘球転動路１２及び第２錘球転動路１３以下の前記第１錘球保持部１０及び第２錘球保持部１１内に錘球１４が保持される。
【００１９】
つぎに、前記第１円盤８及び第２円盤９を適宜の手段により、図示のＸ及びＹ方向へ回転させる。その結果、前記第１円盤８についてみると、図３に示すように、該第１円盤８の第１錘球保持部１０ａに前記第１錘球転動路１２から錘球１４が供給され、同時に、前記第１円盤８の反対側の第１錘球保持部１０ｂが上昇させられ、その内部に保持された錘球１４が、第２ストッパー１６に接触して前記第２錘球転動路１３へ転出させられて慣性も加わって前記矢印Ｘ方向の回転が助長させられる。
【００２０】
一方、前記第２円盤９側においては、図４に示すように、該第２円盤９の第２錘球保持部１１ａ内の錘球１４が第１ストッパー１５に接触して前記第１錘球転動路１２へ転出させられ、同時に、前記第２円盤９の反対側の第２錘球保持部１１ｂが下降させられ、その内部に前記第２錘球転動路１３から錘球１４が供給され、慣性も加わって前記矢印Ｙ方向の回転助長される。
【００２１】
すなわち、前記第２円盤は、前記第３傘歯車７の働きで、第１円盤８と反対方向に独立回転及び協働させられ、前記繰り返しにより、前記錘球１４の連続転動により、前記第１円盤８及び第２円盤９及び前記第１回転軸１及び第２回転軸２の回転が行われ、該第１回転軸１及び第２回転軸２から回転エネルギを取り出すことができる。
【図面の簡単な説明】
【００２２】
【図１】本発明の実施の一形態を示す一部切欠き斜視図である。
【図２】図１の平面図である。
【図３】図１のＦ−Ｆ矢視図である。
【図４】図１のＧ−Ｇ矢視図である。
【図５】第１ストッパー部の斜視図である。
【図６】第１錘球転動路部の一部断面図である。
【図７】第２ストッパー部の斜視図である。
【図８】第１錘球転動路部の一部断面図である。
【符号の説明】
【００２３】
１    第１回転軸
２    第２回転軸
５    第１傘歯車
６    第２傘歯車
７    第３傘歯車
８    第１円盤
９    第２円盤
１０  第１錘球保持部
１１  第２錘球保持部
１２  第１錘球転動路
１３  第２錘球転動路
１４  錘球
１５  第１ストッパー
１６  第２ストッパー
【図１】
2005264897.tif 000003
【図２】
2005264897.tif 000004
【図３】
2005264897.tif 000005
【図４】
2005264897.tif 000006
【図５】
2005264897.tif 000007
【図６】
2005264897.tif 000008
【図７】
2005264897.tif 000009
【図８】
2005264897.tif 000010